(57)【特許請求の範囲】
【請求項１】
奥側の固定部分と、手前側の可動部分とから成り、固定部分に排水管の結合部が設けられ、可動部分が使用位置と後退位置との間で回動できるようにしてある洗面器であって、前記固定部分に備えられる左右の側板における前面寄りの上端面に湾曲部が形成され、当該湾曲部に枢軸孔が穿設された突部が形成され、前記可動部分に備えられる左右の側板における後端側に、前記固定部分の湾曲部の曲率に合致するＲ面部と、枢軸孔と、前記Ｒ面部において前記枢軸孔に直交し且つ前記枢軸孔を中心として所定の角度範囲にわたる溝とが形成され、前記可動部分の溝が前記固定部分の突部に外嵌装着され、前記可動部分及び前記固定部分それぞれの枢軸孔に貫通して装着した枢軸ピンにより、前記可動部分が前記固定部分に対し半跳ね上げ式に回動自在に取り付けられていることを特徴とするコンパクト洗面器。
【請求項２】
前記固定部分は、背面板と前面板と左右の側板と底板とで囲まれたシンクを有し、前記可動部分は左右の側板と前板と底板とから成り、前記可動部分における左右の側板は後端側が前記底板よりも後方側へ突出して形成され、当該後端部分に前記Ｒ面部が形成されている請求項１に記載のコンパクト洗面器。
【発明の詳細な説明】
【０００１】
【発明の属する技術分野】
本発明は、固定部分と可動部分とから成る洗面器であって、不使用時に可動部分を移動させて洗面器の奥行き寸法を小さくするようにしたコンパクト洗面器に関するものである。
【０００２】
【従来の技術】
通常、スペースの限られた狭い浴室等において設置される洗面器は、入浴に伴う洗場での動作等に支障を来さないように、壁面からの突出寸法が抑制されている。しかし、これであると洗面器自体の大きさが小さくなり、手や顔を十分に洗うことができず、洗面動作がし辛いという問題があった。
そのため、従来では、浴室等のように、コンパクトさが要求される場所等で使用される洗面器にあっては、使用時には水平姿勢を確保して十分な洗面領域を確保し、不使用時には洗面器の全体をこの水平姿勢から直立姿勢へ揺動させてコンパクトに収納するようにしたものがある。
【０００３】
【発明が解決しようとする課題】
しかしながら、洗面器の全体を水平状態から直立姿勢へ揺動させて収納する技術にあっては、洗面器の全体重量が重く、これを揺動自在に支承する機構が大型化し、複雑化するという欠点があった。
またこのように洗面器の全体を揺動させる方式では、洗面器に結合した排水管も同時に揺動させることが必要であり、洗面器の揺動空間をも大きく確保しなければならなかった。しかも、洗面器を揺動させる度に、排水管自体及び排水管と洗面器との結合部分に負荷がかかり、これらの部分が損傷又は故障を受けやすくなるという欠点があった。
【０００４】
【課題を解決するための手段】
本発明は従来の前記課題に鑑みてこれを改良除去したものであって、洗面器を固定部分と可動部分とに分割することにより、使用時には広い洗面領域を確保でき、また不使用時には広い室内空間を確保することのできるコンパクトな洗面器を提供せんとするものである。
【０００５】
而して、前記課題を解決するために本発明が採用した請求項１に係るコンパクト洗面器は、奥側の固定部分と、手前側の可動部分とから成り、固定部分に排水管の結合部が設けられ、可動部分が使用位置と後退位置との間で回動できるようにしてある洗面器であって、前記固定部分に備えられる左右の側板における前面寄りの上端面に湾曲部が形成され、当該湾曲部に枢軸孔が穿設された突部が形成され、前記可動部分に備えられる左右の側板における後端側に、前記固定部分の湾曲部の曲率に合致するＲ面部と、枢軸孔と、前記Ｒ面部において前記枢軸孔に直交し且つ前記枢軸孔を中心として所定の角度範囲にわたる溝とが形成され、前記可動部分の溝が前記固定部分の突部に外嵌装着され、前記可動部分及び前記固定部分それぞれの枢軸孔に貫通して装着した枢軸ピンにより、前記可動部分が前記固定部分に対し半跳ね上げ式に回動自在に取り付けられていることを特徴とする。
この発明によれば、使用時には固定部分と可動部分とが一体化した状態となり、洗面器の広い洗面領域を確保することができる。また不使用時には可動部分を後退位置まで回動させることができ、洗面器の全体をコンパクトに収納することができる。更に、固定部分に排水管が結合されるので、排水管及びその結合部分は固定のままであり、移動することがないので、移動に伴う損傷を受けることがない。
【０００６】
前記コンパクト洗面器において、請求項２に記載する如く、前記固定部分は、背面板と前面板と左右の側板と底板とで囲まれたシンクを有し、前記可動部分は左右の側板と前板と底板とから成り、前記可動部分における左右の側板は後端側が前記底板よりも後方側へ突出して形成され、当該後端部分に前記Ｒ面部が形成されているものとすることができる。
【０００７】
【発明の実施の形態】
以下に、本発明の構成を図面に示す発明の実施の形態に基づいて説明すると次の通りである。図１乃至図３は本発明の第１の実施の形態に係るものであり、図１は洗面器１の固定部分２と可動部分３とを分解して示す斜視図、図２は洗面器１の側面図、図３は固定部分２と可動部分３との連結構造を示す部分拡大斜視図である。同図に示す如く、この第１の実施の形態にあっては、前面側が開口したキャビネット４の上面側に洗面器１の固定部分２が固定設置されている。可動部分３は、固定部分２に対して所定角度の範囲に渡って回動自在（半跳ね上げ式）に取り付けられている。
【０００８】
固定部分２は、背面板５と前面板６と左右の両側板７及び８と底板９とで囲まれたシンク１０を有し、底板９に排水口１１が設けられている。そして、排水口１１は、排水器具を介して排水管（いずれも図示せず）へ接続固定されている。左右の両側板７及び８の前面寄りの上端面は、下り勾配の湾曲部１２ａ及び１２ｂに形成されており、前面板６の上端面へ連続している。この湾曲部１２ａ及び１２ｂには、可動部分３を回動自在に枢支するための突部１３ａ及び１３ｂが形成されている。突部１３ａ及び１３ｂは、直線状の端面２２ａ及び２２ｂを有し、また枢軸孔１４ａ及び１４ｂが穿設されている。
【０００９】
一方、可動部分３は、左右の両側板１５及び１６と前板１７と底板１８とから成り、背面板は設けられていない。また左右の両側板１５及び１６の後端側は、底板１８よりも後方側へ突出して形成されており、その端面部分は前記固定部分２の湾曲部１２ａ及び１２ｂの曲率に合致するＲ面部に形成されている。そして、該Ｒ面部には、所定の角度範囲にわたって溝１９ａ及び１９ｂが形成されている。図３において、符号２３ａ及び２３ｂは、各溝１９ａ及び１９ｂに形成された溝端面である。更に、両側板１５及び１６には、溝１９ａ及び１９ｂと直交する方向の枢軸孔２０ａ及び２０ｂが穿設されている。
可動部分３の固定部分２への取り付けは、可動部分３の溝１９ａ及び１９ｂを固定部分２の突部１３ａ及び１３ｂに外嵌装着し、それぞれの枢軸孔１４ａ及び１４ｂと２０ａ及び２０ｂを貫通して枢軸ピン２１ａ，２１ｂを装着すればよい。これにより、可動部分３は固定部分２に対して回動自在である。
【００１０】
次に、上述の如く構成されたコンパクト洗面器１の使用態様を説明する。洗面器１を使用する場合は、図２の実線で示すように、可動部分３の溝１９ａ及び１９ｂの溝端面２３ｂを、固定部分２の突部１３ａ及び１３ｂの直線状端面２２ｂに接合させて支持させ、可動部分３を略水平状態にする。これにより、固定部分２と可動部分３とが二つの洗い鉢を備えた一つの洗面器として機能し、また洗面動作に支障をきたすことのない十分な洗面領域を確保することができる。更に、可動部分３の底板１８は、固定部分２のシンク１０へ向かってやや下り勾配となり、排水勾配が付与される。そして、底板１８のシンク１０側の端縁は、シンク１０の空間内へオーバーハングした状態となり、可動部分３で使用された手洗い水等は底板１８からシンク１０内へ自然流下方式により流れ落ち、排水口１１から排水管を通じて下水等へ排出される。
【００１１】
一方、洗面器の非使用時にあっては、図２の鎖線で示すように、可動部分３の手前側を持ち上げて枢軸ピン２１ａ及び２１ｂを中心に同図の時計方向へ回動させ（跳ね上げ）、溝１９ａ及び１９ｂの溝端面２３ａを突部１３ａ及び１３ｂの直線状端面２２ａに当接接合させて、これに支持させる。これにより、可動部分３は固定部分２の上方側へ跳ね上げられ、可動部分３の奥行き寸法分だけ洗面器全体の大きさが短くなる。従って、洗面器１を浴室等へ設置した場合には、跳ね上げた可動部分３の分だけ洗場の空間を余分に確保することができ、ゆったりとした入浴動作が可能である。
【００１４】
【発明の効果】
以上説明したように本発明にあっては、奥側の固定部分と、手前側の可動部分とから成り、固定部分に排水管の結合部が設けられ、可動部分が使用位置と後退位置との間で回動できるようにしたから、使用時には固定部分と可動部分とを一体化し、洗面器に広い洗面領域を確保することができる。また不使用時には可動部分を後退位置まで回動させることができるので、洗面器の全体をコンパクトに収納することができる。更に、固定部分に排水管が結合されるので、排水管及びその結合部分は固定のままであり、移動することがないので、移動に伴う損傷を受けることがない。
【図面の簡単な説明】
【図１】本発明の第１の実施の形態に係るコンパクト洗面器の固定部分と可動部分を示す分解斜視図である。
【図２】本発明の第１の実施の形態に係るコンパクト洗面器の使用状態を示す縦断面側面図である。
【図３】本発明の第１の実施の形態に係るコンパクト洗面器の固定部分と可動部分の連結部分を示す部分拡大斜視図である。
【図１】
0003702442.tif 000002
【図２】
0003702442.tif 000003
【図３】
0003702442.tif 000004